(57)【要約】【課題】  タッチパネルのスクロール制御方法の提供。【解決手段】  タッチパネル上に少なくとも一つのスクロール機能起動エリアが設定され、物品が該スクロール機能起動エリアに接触する時、該タッチパネルがスクロール機能を起動し、この時、該物品は該タッチパネル上で任意に移動可能であり、並びにその移動量に基づき該物品がタッチパネルより離れてスクロール機能がオフされるまでスクロール信号を送出する。【選択図】        図２
2007004762.tif 000002
【特許請求の範囲】
【請求項１】
タッチパネル上に少なくとも一つのスクロール機能起動エリアを設定し、スクロール機能起動に供するステップ、
物品の少なくとも一つのスクロール機能起動エリアへの接触を確認し、スクロール機能を起動するステップ、
該物品の移動量を計算してスクロール信号を送出するステップ、
該物品がタッチパネルより離れる時、該スクロール機能を終了するステップ、
を包含し、該物品が少なくとも一つのスクロール機能起動エリアから滑り出ても、スクロール機能を維持することを特徴とする、タッチパネルのスクロール制御方法。
【請求項２】
請求項１記載のタッチパネルのスクロール制御方法において、物品の移動量を計算してスクロール信号を送出するステップが、
水平方向の移動量が垂直方向の移動量より大きい時、水平方向のスクロール信号を送出するステップ、
水平方向の移動量が垂直方向の移動量より小さい時、垂直方向のスクロール信号を送出するステップ、
を包含することを特徴とする、タッチパネルのスクロール制御方法。
【請求項３】
請求項１記載のタッチパネルのスクロール制御方法において、物品の移動量を計算してスクロール信号を送出するステップが、同時に水平方向及び垂直方向のスクロール信号を送出するステップを包含することを特徴とする、タッチパネルのスクロール制御方法。
【請求項４】
請求項１記載のタッチパネルのスクロール制御方法において、少なくとも一つのスクロール機能起動エリアが任意の形状とされうることを特徴とする、タッチパネルのスクロール制御方法。
【請求項５】
請求項１記載のタッチパネルのスクロール制御方法において、少なくとも一つのスクロール機能起動エリアがタッチパネル上の任意の位置に設けられうることを特徴とする、タッチパネルのスクロール制御方法。
【請求項６】
スクロール制御機能を具えたタッチパネルにおいて、スクロール機能を起動するための少なくとも一つのスクロール機能起動エリアを具え、物品の少なくとも一つのスクロール機能起動エリアへの接触を確認する時に該スクロール機能を起動し、並びに該物品の移動量を計算してスクロール信号を送出し、該物品が該タッチパネルより離れる時に、該スクロール機能を終了し、該物品が少なくとも一つのスクロール機能起動エリアより滑り出る時も該スクロール機能を維持することを特徴とする、スクロール制御機能を具えたタッチパネル。
【請求項７】
請求項６記載のスクロール制御機能を具えたタッチパネルにおいて、水平方向の移動量が垂直方向の移動量より大きい時、水平方向のスクロール信号を送出し、水平方向の移動量が垂直方向の移動量より小さい時、垂直方向のスクロール信号を送出することを特徴とする、スクロール制御機能を具えたタッチパネル。
【請求項８】
請求項６記載のスクロール制御機能を具えたタッチパネルにおいて、スクロール信号が水平方向スクロール信号と垂直方向スクロール信号を包含することを特徴とする、スクロール制御機能を具えたタッチパネル。
【請求項９】
請求項６記載のスクロール制御機能を具えたタッチパネルにおいて、少なくとも一つのスクロール機能起動エリアが任意の形状とされうることを特徴とする、スクロール制御機能を具えたタッチパネル。
【請求項１０】
請求項６記載のスクロール制御機能を具えたタッチパネルにおいて、少なくとも一つのスクロール機能起動エリアがタッチパネル上の任意の位置に設けられうることを特徴とする、スクロール制御機能を具えたタッチパネル。
【発明の詳細な説明】
【技術分野】
【０００１】
本発明はタッチパネルのスクロール制御方法に関する。
【背景技術】
【０００２】
現在、タッチパネルは広くポータブルコンピュータ、携帯情報端末、携帯電話或いはその他の電子システムを包含する電子製品に応用されている。タッチパネルは使用者の手指或いは導電性物品（例えばタッチペン）をパネル上で滑らせるか或いは接触させるのに供される輸入装置であり、カーソルに相対移動或いは絶対座標移動を発生させ、及び、その他の延伸性機能、例えばキー機能シミュレートをサポートする。
【０００３】
操作エリアで更に多様な機能をサポートするため、セクション分割の概念がある。現在、コンピュータシステム或いは一般のハンドヘルド装置に関わらず、更に良好な使用環境を達成するために、ウインドウインタフェースが提供され、このようなウインドウインタフェースも進化してスクロール環境を具備するものとなっている。過去のタッチパネルもこの機能を具えたものがあり、ウインドウフレームにスクロールを発生させる。図１は周知のタッチパネル１０を示し、それは三つのエリアに分割され、それぞれカーソル移動エリア１２、垂直スクロールエリア１４及び水平スクロールエリア１６であり、使用者が手指１８をカーソル移動エリア１２上で移動させる時、ウインドウ上のカーソルに対応する移動を発生させることができ、手指１８が垂直スクロールエリア１４上で移動する時、ウインドウが上下にスクロールし、手指１８水平スクロールエリア１４上で移動する時、ウインドウが左右にスクロールする。このようなタッチパネルの改良については、特許文献１及び２を参照されたい。
【０００４】
しかし、タッチパネル１０は明確なエリア分割を採用しているため、使用者は規定されたエリア内でなければそれに対応する機能を実行できない。例えば、垂直スクロール機能を使用したい時、手指１８は垂直スクロールエリア１４上を移動しなければ垂直スクロール機能を実行できず、手指１８が垂直スクロールエリア１４からカーソル移動エリア１２に進入する時、タッチパネル１０は使用者が一般のカーソル機能を使用したいものと判断し、垂直スクロール機能を停止する。更に、連続動作は一つのスクロール方向しか決定できない。例えば、垂直方向にスクロールし、使用者が更に水平方向のスクロールを実行したい時は、手指１８を水平スクロールエリア１６に移動させなければ実行できず、使用上の不便を形成する。
【０００５】
このためタッチパネル上の任意の位置でスクロール機能を実行できる制御方法が望まれている。
【０００６】
【特許文献１】米国特許第５、７４８、１８５号明細書
【特許文献２】米国特許第５、９４３、０５２号明細書
【発明の開示】
【発明が解決しようとする課題】
【０００７】
本発明の目的は、一種のタッチパネルのスクロール制御方法を提供することにあり、それは、タッチパネル上の任意の位置でスクロール機能を実行できるようにする方法であるものとする。
【０００８】
本発明によると、タッチパネルのスクロール制御方法は、タッチパネル上に少なくとも一つのスクロール機能起動エリアが設けられ、物品が少なくとも一つのスクロール機能起動エリアに接触する時、該タッチパネルがスクロール機能を起動し、この時、該物品がタッチパネル上を任意に移動でき、同時に垂直と水平方向のスクロール信号を送出でき、水平方向の移動量が垂直方向の移動量より大きい時、該タッチパネルは水平方向のスクロール信号を送出し、反対に水平方向の移動量が垂直方向の移動量より小さい時、タッチパネルは垂直方向のスクロール信号を送出し、これを物品がタッチパネルより離れてスクロール機能がオフされるまで行う。
【課題を解決するための手段】
【０００９】
請求項１の発明は、タッチパネル上に少なくとも一つのスクロール機能起動エリアを設定し、スクロール機能起動に供するステップ、
物品の少なくとも一つのスクロール機能起動エリアへの接触を確認し、スクロール機能を起動するステップ、
該物品の移動量を計算してスクロール信号を送出するステップ、
該物品がタッチパネルより離れる時、該スクロール機能を終了するステップ、
を包含し、該物品が少なくとも一つのスクロール機能起動エリアから滑り出ても、スクロール機能を維持することを特徴とする、タッチパネルのスクロール制御方法としている。
請求項２の発明は、請求項１記載のタッチパネルのスクロール制御方法において、物品の移動量を計算してスクロール信号を送出するステップが、
水平方向の移動量が垂直方向の移動量より大きい時、水平方向のスクロール信号を送出するステップ、
水平方向の移動量が垂直方向の移動量より小さい時、垂直方向のスクロール信号を送出するステップ、
を包含することを特徴とする、タッチパネルのスクロール制御方法としている。
請求項３の発明は、請求項１記載のタッチパネルのスクロール制御方法において、物品の移動量を計算してスクロール信号を送出するステップが、同時に水平方向及び垂直方向のスクロール信号を送出するステップを包含することを特徴とする、タッチパネルのスクロール制御方法としている。
請求項４の発明は、請求項１記載のタッチパネルのスクロール制御方法において、少なくとも一つのスクロール機能起動エリアが任意の形状とされうることを特徴とする、タッチパネルのスクロール制御方法としている。
請求項５の発明は、請求項１記載のタッチパネルのスクロール制御方法において、少なくとも一つのスクロール機能起動エリアがタッチパネル上の任意の位置に設けられうることを特徴とする、タッチパネルのスクロール制御方法としている。
請求項６の発明は、スクロール制御機能を具えたタッチパネルにおいて、スクロール機能を起動するための少なくとも一つのスクロール機能起動エリアを具え、物品の少なくとも一つのスクロール機能起動エリアへの接触を確認する時に該スクロール機能を起動し、並びに該物品の移動量を計算してスクロール信号を送出し、該物品が該タッチパネルより離れる時に、該スクロール機能を終了し、該物品が少なくとも一つのスクロール機能起動エリアより滑り出る時も該スクロール機能を維持することを特徴とする、スクロール制御機能を具えたタッチパネルとしている。
請求項７の発明は、請求項６記載のスクロール制御機能を具えたタッチパネルにおいて、水平方向の移動量が垂直方向の移動量より大きい時、水平方向のスクロール信号を送出し、水平方向の移動量が垂直方向の移動量より小さい時、垂直方向のスクロール信号を送出することを特徴とする、スクロール制御機能を具えたタッチパネルとしている。
請求項８の発明は、請求項６記載のスクロール制御機能を具えたタッチパネルにおいて、スクロール信号が水平方向スクロール信号と垂直方向スクロール信号を包含することを特徴とする、スクロール制御機能を具えたタッチパネルとしている。
請求項９の発明は、請求項６記載のスクロール制御機能を具えたタッチパネルにおいて、少なくとも一つのスクロール機能起動エリアが任意の形状とされうることを特徴とする、スクロール制御機能を具えたタッチパネルとしている。
請求項１０の発明は、請求項６記載のスクロール制御機能を具えたタッチパネルにおいて、少なくとも一つのスクロール機能起動エリアがタッチパネル上の任意の位置に設けられうることを特徴とする、スクロール制御機能を具えたタッチパネルとしている。
【発明の効果】
【００１０】
本発明は一種のタッチパネルのスクロール制御方法を提供し、それによると、タッチパネル上に少なくとも一つのスクロール機能起動エリアが設定され、物品が該スクロール機能起動エリアに接触する時、該タッチパネルがスクロール機能を起動し、この時、該物品は該タッチパネル上で任意に移動可能であり、並びにその移動量に基づき該物品がタッチパネルより離れてスクロール機能がオフされるまでスクロール信号を送出する。
【発明を実施するための最良の形態】
【００１１】
図２は本発明に応用されるタッチパネル２０を示し、それはスクロール機能起動エリア２２とカーソル移動エリア２４を包含し、使用者がタッチパネル２０に接触する時、タッチパネル２０はまず手指２６の接触する位置を確認し、もし手指２６の接触する位置がカーソル移動エリア２４内であれば、タッチパネル２０は一般のカーソル機能を実行し、このときウインドウ上のカーソルは使用者の手指２６の移動に伴い対応する動作を発生し、もし手指２６の接触位置がスクロール機能起動エリア２２内であれば、タッチパネル２０はスクロール機能を起動し、この時、ウインドウは使用者の手指２６の移動によりスクロールし、スクロール機能起動後、使用者の手指２６はタッチパネル２０上で任意に位置移動してウインドウをスクロールさせることができ、即ち使用者の手指２６がスクロール機能起動エリア２２よりカーソル移動エリア２４に進入しても（図２）、スクロール機能に影響が生じず、これにより使用者は連続動作により水平スクロールと垂直スクロールを達成できる。手指２６が移動する時、タッチパネル２０は手指の移動量を計算し、図３に示されるように、水平方向の移動量ｘが垂直方向の移動量ｙより大きければ、タッチパネル２０は水平方向のスクロール信号を送出し、水平にウインドウをスクロールさせ、反対に、水平方向の移動量ｘが垂直方向の移動量ｙより小さければ、タッチパネル２０は垂直方向のスクロール信号を送出し、垂直にウインドウをスクロールさせる。その他の実施例では、手指２６の移動量に基づき水平方向と垂直方向のスクロール信号を同時に送出可能で、水平及び垂直に同時にウインドウをスクロールさせることができる。
【００１２】
タッチパネル２０にあって、スクロール機能起動エリア２２はタッチパネル２０の辺縁に設置され並びにカーソル移動エリア２４の周りに繞設されうるほか、任意の形状とされて任意の位置に設置されうる。また、複数個に分割され、例えば図４に示されるタッチパネル３０では、そのエッジに複数の円形のスクロール機能起動エリア２２が設けられ、図５に示されるタッチパネル４０では上下左右の四つの辺縁に矩形のスクロール機能起動エリア２２が設けられ、図６に示されるタッチパネル５０は非辺縁エリアに不規則形状のスクロール機能起動エリア２２が設けられている。
【図面の簡単な説明】
【００１３】
【図１】周知のタッチパネルの表示図である。
【図２】本発明を応用した第１実施例図である。
【図３】手指のタッチパネル上での移動量の表示図である。
【図４】本発明を応用した第２実施例図である。
【図５】本発明を応用した第３実施例図である。
【図６】本発明を応用した第４実施例図である。
【符号の説明】
【００１４】
１０  タッチパネル
１２  カーソル移動エリア
１４  垂直スクロールエリア
１６  水平スクロールエリア
１８  手指
２０  タッチパネル
２２  スクロール機能起動エリア
２４  カーソル移動エリア
２６  手指
３０  タッチパネル
４０  タッチパネル
５０  タッチパネル
【図１】
2007004762.tif 000003
【図２】
2007004762.tif 000004
【図３】
2007004762.tif 000005
【図４】
2007004762.tif 000006
【図５】
2007004762.tif 000007
【図６】
2007004762.tif 000008